(57)【要約】【課題】  従来よりも簡易に製造することができる構造を有するストラップを提供しようとするもの。【解決手段】  軟質材よりなる紐状の形状を有すると共にその両端には貫通孔２が形成され、前記貫通孔２に細紐体３が挿通されてループ状とされた。紐状の形状の両端に貫通孔が形成された構造に対応する成形金型を作成し、前記成形金型を用いて軟質材を射出成形することにより細紐体をつなぐための貫通孔を有する紐状の形状を容易に成形することができると共に、前記貫通孔に細紐体を挿通して簡単に取り付けることができる。【選択図】  図２
2006006789.tif 000002
【特許請求の範囲】
【請求項１】
軟質材よりなる紐状の形状を有すると共にその両端には貫通孔２が形成され、前記貫通孔２に細紐体３が挿通されてループ状とされたことを特徴とするストラップ。
【請求項２】
前記紐状の軟質材は両端に膨大部７を有し、前記膨大部７に貫通孔２が形成された請求項１記載のストラップ。
【発明の詳細な説明】
【技術分野】
【０００１】
この発明は、携帯ゲーム機器、携帯電話、ポケットベル、カメラ、手提げバック等の携帯品に取り付けられるストラップに関するものである。
【背景技術】
【０００２】
従来より、携帯ゲーム機器、携帯電話、ポケットベル、カメラ、手提げバック等の携帯品に取り付けられるストラップが知られている（例えば、特許文献１参照）
図４に示すように、前記ストラップは、ストラップ本体１０、細紐体２０、及びこれらを連結するための連結具３０からなる。
【０００３】
前記ストラップ本体１０は、両端部に連結具３０と連結するための連結孔１１を形成してある。このストラップ本体１０は、両端部の連結孔１１が連結具３０に装着されてループ状となる。
【０００４】
細紐体２０は、携帯品に設けられたストラップ取付け部に装着するための、ループ状に形成された構成要素である。この細紐体２０は、両端部を結んで玉状の結び目２１を形成してある。
【０００５】
連結具３０は、ストラップ本体１０と細紐体２０とを連結するための構成要素である。この連結具３０は、筐型をした第１の連結片３１及び第２の連結片３２を備えている。これら第１，第２の連結片３１，３２は、基部がヒンジ部３３で結合されている。そのヒンジ部３３には、細紐体２０を取り付けるための取付孔３４が形成してあり、この取付孔３４に内側から細紐体２０を通し、結び目２１を取付孔３４の周縁で支持する構造となっている。
【０００６】
製造に際しては、ストラップ本体１０は、両端部の連結孔１１を重ね合わせて支軸３７ａ，３７ｂに嵌め合わせるとともに、切欠き口３８を貫通するように配置する。そして、第１，第２の連結片３１，３２の周縁部を重ね合わせると同時に凹部３６と凸部３５を係合させることで、支軸３７ａ，３７ｂの先端面が近接して対向し、ストラップ本体１０における連結孔１１の嵌め合わせ状態が保持される。
【０００７】
しかし、前記連結具３０などの構造が比較的に複雑であり製造するのに非常に手間がかかるという問題があった。
【特許文献１】特開２０００―１３９５４３号公報（図１）
【発明の開示】
【発明が解決しようとする課題】
【０００８】
そこでこの発明は、従来よりも簡易に製造することができる構造を有するストラップを提供しようとするものである。
【課題を解決するための手段】
【０００９】
前記課題を解決するためこの発明では次のような技術的手段を講じている。
(１)この発明のストラップは、軟質材よりなる紐状の形状を有すると共にその両端には貫通孔が形成され、前記貫通孔に細紐体が挿通されてループ状とされたことを特徴とする。
【００１０】
このストラップは前述のように構成したので、紐状の形状の両端に貫通孔が形成された構造に対応する成形金型を作成し、前記成形金型を用いて軟質材(例えばポリウレタン樹脂やゴム)を射出成形することにより細紐体をつなぐための貫通孔を有する紐状の形状を容易に成形することができると共に、前記貫通孔に細紐体を挿通して簡単に取り付けることができる。
【００１１】
ここで貫通孔に挿通した細紐体は、その両端を結んだり溶着したりすることにより簡単にループ状とすることができる。また、細紐体との連結領域を外被材により被覆することにより、より体裁が良いものとすることができる。
【００１２】
(２) 前記紐状の軟質材は両端に膨大部を有し、前記膨大部に貫通孔が形成されたこととしてもよい。
【００１３】
このように構成すると貫通孔の周囲は膨大部となっており肉厚的に余裕ができるので、貫通孔の周辺領域が材料強度的に強化されたものとすることができる。また、両端の膨大部の間の紐状の領域はより細く形成することができ、全体として柔軟なものとすることができる。
【発明の効果】
【００１４】
この発明は上述のような構成であり、次の効果を有する。
【００１５】
細紐体をつなぐための貫通孔を有する紐状の形状を容易に成形することができると共に前記貫通孔に細紐体を挿通して簡単に取り付けることができるので、従来よりも簡易に製造することができる構造を有するストラップを提供することができる。
【発明を実施するための最良の形態】
【００１６】
以下、この発明の実施の形態を図面を参照して説明する。
（実施形態１）
図１に示すように、この実施形態のストラップ１は、軟質材(例えばポリウレタン樹脂やゴム)よりなる紐状の形状を有すると共に、前記軟質材の射出成形時にその両端には貫通孔２が形成され、射出成形後の前記貫通孔２に細紐体３が挿通されてループ状とされている。
【００１７】
貫通孔２に挿通した細紐体３は、その両端を結んだり溶着したりすることにより簡単にループ状とすることができる。なお、細紐体３との連結領域４を外被材(図示せず)により被覆することにより、より体裁が良いものとすることができる。
【００１８】
次に、この実施形態のストラップの使用状態を説明する。
【００１９】
このストラップ１は、その一端側に携帯ゲーム機器、携帯電話、ポケットベル、カメラ、手提げバック、キャラクター人形、鍵等の携帯品５を、他端側にクリップ６ (例えば着衣等に挟んでおく)等を取り付けることができるものである(使用状態として図３も参照)。
【００２０】
このストラップ１は上述のように構成したので、軟らかい紐状の形状の両端に貫通孔２が形成された構造に対応する成形金型(図示せず)を作成し、前記成形金型を用いて軟質材を射出成形することにより細紐体３をつなぐための貫通孔２を有する紐状の形状を容易に成形することができると共に、前記貫通孔２に細紐体３を挿通して簡単に取り付けることができ、従来よりも簡易に製造することができる構造を有するという利点がある。
【００２１】
（実施形態２）
実施形態２のストラップは、主に両端に膨大部７を有する点で前記実施形態１と異なる。
【００２２】
図２及び図３に示すように、この実施形態のストラップは、軟質材(例えばポリウレタン樹脂やゴム)よりなる紐状の形状を有すると共に、前記軟質材の射出成形時にその両端には貫通孔２が形成され、射出成形後の前記貫通孔２に細紐体３が挿通されてループ状とされている。
貫通孔２に挿通した細紐体３は、その両端を結んだり溶着したりすることにより簡単にループ状とすることができる。なお、細紐体３との連結領域４を外被材(図示せず)により被覆することにより、より体裁が良いものとすることができる。
【００２３】
また前記紐状の軟質材は両端に膨大部７を有し、前記膨大部７に貫通孔２が形成されたこととしている。
【００２４】
次に、この実施形態のストラップの使用状態を説明する。
【００２５】
このストラップ１は、その一端側に携帯ゲーム機器、携帯電話、ポケットベル、カメラ、手提げバック、キャラクター人形、鍵等の携帯品５を、他端側にクリップ６ (例えば着衣等に挟んでおく)等を取り付けることができるものである(使用状態として図３も参照)。
【００２６】
このストラップ１は上述のように構成したので、軟らかい紐状の形状の両端に貫通孔２が形成された構造に対応する成形金型(図示せず)を作成し、前記成形金型を用いて軟質材を射出成形することにより細紐体３をつなぐための貫通孔２を有する紐状の形状を容易に成形することができると共に、前記貫通孔２に細紐体３を挿通して簡単に取り付けることができ、従来よりも簡易に製造することができる構造を有するという利点がある。
【００２７】
また前記紐状の軟質材は両端に膨大部７を有し、前記膨大部７に貫通孔２が形成されたこととしており、貫通孔２の周囲は膨大部７となっており肉厚的に余裕ができるので、貫通孔２の周辺領域が材料強度的に強化されたものとすることができる。また、両端の膨大部７の間の紐状の領域はより細く形成することができ、全体として柔軟なものとすることができる。
【産業上の利用可能性】
【００２８】
従来よりも簡易に製造することができる構造を有することによって、種々のストラップの用途に適用することができる。
【図面の簡単な説明】
【００２９】
【図１】この発明のストラップの実施形態１を説明する全体斜視図。
【図２】図１のストラップの使用状態を説明する斜視図。
【図３】この発明のストラップの実施形態２を説明する全体斜視図。
【図４】従来のストラップの構成を説明する分解斜視図(特開２０００―１３９５４３号公報の図１)。
【符号の説明】
【００３０】
２  貫通孔
３  細紐体
７  膨大部
【図１】
2006006789.tif 000003
【図２】
2006006789.tif 000004
【図３】
2006006789.tif 000005
【図４】
2006006789.tif 000006